(57)【特許請求の範囲】
【請求項１】
鉛筆の底面の木材の部分に、鉛筆補助軸本体の先端部に固定した複数のピンを刺すことで接続を可能とした鉛筆補助軸において、補助軸本体外側上をスライドするカバーを有し、また、補助軸本体にカバーの動きを抑制するばねを装着し、カバー側には、ばねの一部が入り込む穴を設け、補助軸本体の長手方向にばねの位置を示すマークを付けたことを特徴とする鉛筆補助軸。
【請求項２】
前記のカバーの動きを抑制するばねを 本体上に設けた突起部としたことを特徴とする請求項１に記載の鉛筆補助軸。
【請求項３】
前記の補助軸の本体後部の長手方向に目盛りを付けたことを特徴とする請求項１及び２の何れか一項に記載の鉛筆補助軸。
【請求項４】
鉛筆の直径よりも僅かに大きい直径で、鉛筆全体と補助軸の一部が入り込む長さの円柱状穴を有し、円柱状穴の先端部を円錐状穴とし、円錐状穴の頂点部の同軸上に鉛筆の芯よりも直径の大きい円柱状穴を設けたことを特徴とする鉛筆と請求項１から３の何れか一項に記載の鉛筆補助軸との接続時に用いる接続台。  
【請求項５】
前記の接続台において鉛筆の先端に配置して使用するもので、下面が接続台の円錐状穴に密着し、上面に鉛筆の切削角度に近いテーパー部角度の円錐状穴を有し、円錐状穴の頂点部の同軸上に鉛筆の芯よりも直径の大きい円柱状穴を設け、異なった鉛筆の切削角度に対応可能とすることを特徴とする請求項４に記載の接続台用のコマ。
【発明の詳細な説明】
【技術分野】
【０００１】
この発明は、使用して短くなった為に、握りにくくなり、また削りにくくなった鉛筆を最後まで使い切るための装置に関するものである。
【背景技術】
【０００２】
短くなった鉛筆を持ち易くするための装置は、鉛筆後端部に円筒形状の補助軸本体をはめ込んだ後に、円筒が二重になっている先端部を回して鉛筆を締め付け固定する方式が一般的に知られている。そのほかに、先端部内側にねじ切り部を設け鉛筆をねじ込んで固定する方法（特許文献１参照)や、本体内部にねじ穴を設けて尖らせた鉛筆をねじ込んで固定する方法（特許文献２参照）や、本体に錐とねじ部を備え、錐で穴を開けそこにねじの固定された補助軸本体を取り付け固定する方法（特許文献３参照）などが考案されている。
また、鉛筆と同じ外径である補助軸本体の先端に複数本のピンを有し、鉛筆底面の木材の部分に刺して固定するという考案（特許文献４参照）があり、また、鉛筆と補助軸とを同一軸上に固定させるための中空管を接続部に被せる方法（特許文献４参照）が考案されている。
【先行技術文献】
【特許文献】
【０００３】
【特許文献１】実開昭５４−３１８３０号広報
【特許文献２】実開昭５３−２１０４５号広報
【特許文献３】実開平６−２４９８６号広報
【特許文献４】特開昭４８−７４３２３号公報
【発明の概要】
【発明が解決しようとする課題】
【０００４】
しかし、鉛筆を固定するために鉛筆後端部の数ｃｍを補助軸本体が覆うようにした構造のものでは、電動または手動の鉛筆削りで削る場合、覆っている部分の鉛筆を削ることはできず、また
ある程度短くなると鉛筆を保持することもできなくなり捨てていた。また、鉛筆に穴を開け、そこにねじの固定された補助軸本体をねじ込む方法は、手間がかかる上に、鉛筆に補助軸を同軸上で接続するのが難しかった。
【課題を解決するための手段】
【０００５】
本発明は、円筒形の本体の先端部に鉛筆底面の木材の部分に刺すための複数本のピンが固定されており、未使用時は、本体外側をスライドする
鉛筆と同じ外径を持つ円筒形カバーの穴に、本体に付けられたばね または、本体上に設けられた突起部が入り込んでいてカバーが本体先端部で固定され、ピンの変形と人体への傷害の発生を防ぐ構造となっている。鉛筆との接続時は、専用の接続台の穴に短くなった鉛筆を先端から挿入し、続いて本補助軸を先端から挿入した後に、接続台を垂直にして接続台から出ている本補助軸の本体後端部を手で押下またはハンマーで軽くたたくことで、カバーは鉛筆に押されてばね
または突起部による固定が外れスライドし、ピンが鉛筆底面に刺さり鉛筆と本補助軸とが接続される。
【発明の効果】
【０００６】
以上の手段により、鉛筆と補助軸との同軸上での接続が容易で、かつ本補助軸は鉛筆の底面とのみ接しているので、電動または手動の鉛筆削りにより鉛筆の側面部がすべてテーパー状に削られるまで使い切ることが可能となる。
【図面の簡単な説明】
【０００７】
【図１】本発明の補助軸使用時縦断面図
【図２】本発明の補助軸未使用時縦断面図
【図３】本発明の補助軸正面図
【図４】本発明の接続台使用時縦断面図
【図５】コマ断面図
【図６】鉛筆削りによる削りの限界状態側面図
【発明を実施するための形態】
【０００８】
以下に本発明の実施形態を詳しく説明する。
【実施例１】
【０００９】
図1は、本発明の補助軸使用時縦断面図であって、円筒形の本体１の先端部には、根元の直径が１ｍｍ程度のピン２が、３本埋め込まれている。実験によりこの直径のピンであれば一般的な鉛筆の木材部に約４ｍｍの深さまで手で押して刺すことができることから、ピン２の長さは４ｍｍになっている。本体１の先端側の外側には、鉛筆５と同じ外径を持ち、本体１上をスライドできる円筒形のカバー３が付けられており、使用時にカバー３の一方の端部は、本体１の凹部にセットされたばね４の力
または、図示しない本体上に設けられた突起部により押される力により本体１の先端部の面と同一面で保持されている。
【００１０】
図２は、本発明の補助軸未使用時縦断面図であって、一部切欠箇所は側面図を示す。カバー３を本体１上でスライドさせ、ばね４
または突起部の位置を示す本体の長手方向に付けられたマーク１ａとカバー３に開けらている穴３ａの回転方向の位置を合わせて、穴３ａにばね４または突起部が入り込んだ位置でカバー３を固定させ、未使用時のピン２の変形と誤ってピン２に触れて起こるけがの発生を防ぐことができる。図３は本発明の補助軸正面図であり、ピン２の配置を示したもので、直径方向は鉛筆の芯５ｃの外径と本体１の外径との中間の位置とし、円周方向はピンを３本としたので１２０度間隔となっている。
【００１１】
図４は、本発明の接続台使用時縦断面図であって、接続台６にはＪＩＳ規格直径８ｍｍ以下という一般的な鉛筆の外径に対し大きすぎない穴径、例えば直径８．５ｍｍの円筒状穴６ａが開けられており、円筒状穴６ａの下端には鉛筆５のテーパー部５ａを面で支持するための円錐状穴６ｂがあり、その頂点の部分には鉛筆の芯５ｃを逃がすための逃がし穴６ｃが設けられている。鉛筆５と本補助軸との接続は、図４に示すように、接続台６の円筒状穴６ａに鉛筆５をテーパー部５ａから挿入し、続いて未使用時の状態の本補助軸をピン２側から挿入した後に接続台６を垂直に立て、接続台６から出ている本体１の後端を手で押下またはハンマーで軽くたたくことで、カバー３は鉛筆５に押されてスライドしてばね４または突起部が穴３ａから外れ、ピン２が鉛筆５の底面に刺さり始め、ピン２の根元まで鉛筆５に入り込んだ状態で本体１は押下できなくなり接続が完了する。
【００１２】
ここで両者を接続台６に挿入し垂直に立てた時に、接続台６の上端の位置での本体１に付けられた目盛り１ｂを読んでおくと、未使用時のカバー３先端からピン２の根元までの長さを事前に知っておくことで、押し込んでいる過程で目盛り１ｂの変化からピン２の鉛筆５への入り込み量を把握することができる。
【００１３】
図５は、接続台６の円錐状穴６ｂの上に乗せて使用するコマ７の断面図の一例である。このコマ７は鉛筆削りによる鉛筆５の切削角度の違いに対応するために、接続台６の付属品として数種類用意しておくもので、下面が接続台６の円錐状穴６ｂに密着し、上面が接続台６の円錐状穴６ｂのテーパー部角度とは違うものになっておりまた、コマ７の円錐状穴７ａの頂点部には鉛筆の芯５ｃに対する逃がし穴７ｂが設けられている。接続台６を使用する際には、鉛筆５の切削角度に最も近いと思われるコマ７を選択し接続台６に挿入後、鉛筆５を挿入することになる。
【００１４】
切削角度は、ＪＩＳで規定する卓上型の鉛筆削りの場合の１３度から２０度に対し、一般的には約１６度のものが多いことと、規定は見当たらないが携帯用の小型の鉛筆削りの一般的な切削角度が２３度であり、色鉛筆用としての鉛筆削りの一般的な切削角度が３０度であることから、接続台６の円錐状穴６ｂのテーパー部角度を１６度としておき、コマ７の上面の円錐状穴７ａのテーパー部角度をほぼ３度おきとして、２０度、２３度、２６度、３０度の四種類としておけば、ほぼ全ての鉛筆削りで削られた鉛筆に対応できると考える。
【００１５】
図６は、鉛筆削りによる削りの限界状態側面図を示すもので、鉛筆の側面部５ｂが電動または手動の鉛筆削りで削られ全てテーパー部５ａとなっている状態である。ここでカバー３を削ってしまう恐れのある時は、カバー３を後方にずらし鉛筆５と離しておく。この状態で鉛筆削りによる削りは限界であるが、芯５ｃが丸くなったところでカッター等を用いて手動で削ることで、ピン２が鉛筆５を保持できなくなるところまで鉛筆５の使用は可能である。また、鉛筆５と本補助軸とは、本体１を押さえてカバー３を鉛筆５側へ押すことで分離させることができる。
【産業上の利用可能性】
【００１６】
鉛筆の底面のみとで接続できるため、電動または手動の鉛筆削りにより鉛筆側面が全てテーパー状になるまで鉛筆を使い切ることが可能となる鉛筆補助軸および鉛筆と本補助軸とを同軸上に接続することのできる接続台。
【符号の説明】
【００１７】
１   本体
１ａ マーク
１ｂ 目盛り
２   ピン
３   カバー
３ａ 穴
４   ばね
５   鉛筆
５ａ テーパー部
５ｂ 側面部
５ｃ 芯
６   接続台
６ａ 円筒状穴
６ｂ 円錐状穴
６ｃ 逃がし穴
７   コマ
７ａ 円錐状穴
７ｂ 逃がし穴
【図１】
0005565562.tif 000002
【図２】
0005565562.tif 000003
【図３】
0005565562.tif 000004
【図４】
0005565562.tif 000005
【図５】
0005565562.tif 000006
【図６】
0005565562.tif 000007